(57)【要約】【課題】糸絡みや糸傷及びベールの亀裂などの発生を防止すると共に、ロータの回転バランスに優れた魚釣用スピニングリールを提供する。【解決手段】本発明の魚釣用スピニングリールは、リール本体２に回転自在に支持されたロータ１４と、ロータから延びる一対のベール取付アーム１６に回動反転可能に取り付けられた一対のベール支持部材１８と、一対のベール支持部材１８に支持されたベール２０と、一方側のベール支持部材に設けられたラインローラ２２と、ベール反転時にベールで拾われた釣糸をラインローラへ導く釣糸導入部２４と、釣糸導入部に形成され且つベールの端部を取付可能なベール取付部２６とを備えている。ベール取付部２６に中空部２６ａを形成し中空部２６ａに中空の補強部材２８を嵌入し、ベール２０の端部に形成した中空部２０ａ内に、ベール取付部２６を嵌入して互いに接合したことを特徴とする。【選択図】図２
2007111060.tif 000002
【特許請求の範囲】
【請求項１】
リール本体に回転自在に支持されたロータと、このロータから延びる一対の腕部に回動反転可能に取り付けられた一対のベール支持部材と、これら一対のベール支持部材に支持されたベールと、一方側のベール支持部材に設けられた釣糸案内部と、この釣糸案内部の近傍に設けられ且つベール反転時にベールで拾われた釣糸を前記釣糸案内部へ導くように構成された釣糸導入部と、この釣糸導入部に形成され且つベールの端部を取付可能なベール取付部とを備えた魚釣用スピニングリールにおいて、
前記ベール取付部に中空部を形成して該中空部に中空の補強部材を嵌入し、前記ベールの端部に形成した中空部内に、前記ベール取付部を嵌入して互いに接合したことを特徴とする魚釣用スピニングリール。
【発明の詳細な説明】
【技術分野】
【０００１】
本発明は、ベールとベール取付部との接合部近傍を改良した魚釣用スピニングリールに関する。
【背景技術】
【０００２】
従来、魚釣用スピニングリールのロータの一対の腕部には、ベールと、このベールを支持するベール支持部材とが夫々取り付けられている。この内、一方のベール支持部材には、釣糸案内部と、ベールの端部を取付可能なベール取付部を有する釣糸導入部とが設けられており、このベール支持部材によって、ベールは、釣糸繰出位置と釣糸巻取位置に回動反転自在に構成されている。また、釣糸導入部は、釣糸案内部の近傍に設けられており、ベール反転時に釣糸を釣糸案内部へ導くことができるように構成されている。
【０００３】
しかし、上述したような構成では、特にベールの端部と釣糸導入部との取付部分に段差が形成されているため、例えばベール反転時において、その取付部分に釣糸が糸絡みし易いといった不具合が指摘されていた。
【０００４】
そこで、例えば特許文献１には、ベールと釣糸導入部とを一体形成すると共に釣糸導入部を円錐状に形成することによって、ベールと釣糸導入部との間に生じる段差を無くし、更にベールと釣糸導入部との接合部をリール本体側へ偏寄させることによって、糸絡みを防止する構成が開示されている。
【０００５】
また、例えば特許文献２には、ベールの釣糸接触部とスプールの釣糸接触部との間隔が、ベールからラインローラ方向に沿って徐々に狭くなるように、釣糸導入部の形状を構成すると共に、この釣糸導入部をベールとは別体で形成し、ベールからラインローラ方向に沿って徐々に大径となる円錐状に形成して糸絡みを防止する構成が開示されている。
【０００６】
しかし、上記した特許文献１に開示されている技術では、ベールと釣糸導入部とを一体形成したことによって、その形状が複雑化するため、製造が困難になり、製造コストが高くなってしまうといった不具合が指摘されている。
【０００７】
また、上記した特許文献２に開示されている技術では、ベールと釣糸導入部との間に段差が生じるため、糸絡みや糸傷などが発生し易いといった不具合や、釣糸導入部にベールを取り付ける際にベールを屈曲させなければならないため、ベール形状が複雑になり、正確な形状出しが難しいといった不具合などが指摘されている。
【０００８】
そこで、特許文献３には、ベールと釣糸導入部との接合部に中実ピンを挿入介在させて、その接合部を補強することによって、上記した従来技術の不具合を解消するように構成した技術が提案されている。
【特許文献１】実開平３−１１７４６２号公報
【特許文献２】特開平１０−１１７６４４号公報
【特許文献３】特開２０００−２７９０６８号公報
【発明の開示】
【発明が解決しようとする課題】
【０００９】
しかし、上記した特許文献３に開示されているように、接合部に中実ピンを挿入介在させた場合、ベールに外力が作用した際、中実ピンの両端近傍のベールに対して局部的な曲げ荷重が加わると、ベールに亀裂が入り、糸切れ等の問題を誘発するおそれがあり、改良の余地がある。また、中実ピンを補強部材として用いると、回転軌跡の外側に位置するベールの重量を軽減することができなくなるため、ベールと共に回転するロータの回転バランスが取り難くなる等の問題も指摘されている。
【００１０】
本発明は、このような問題を解決するために成されたものであり、糸絡みや糸傷及びベールの亀裂などの発生を防止すると共に、ロータの回転バランスに優れた魚釣用スピニングリールを提供することを目的とする。
【課題を解決するための手段】
【００１１】
上記した目的を達成するために、本発明は、リール本体に回転自在に支持されたロータと、このロータから延びる一対の腕部に回動反転可能に取り付けられた一対のベール支持部材と、これら一対のベール支持部材に支持されたベールと、一方側のベール支持部材に設けられた釣糸案内部と、この釣糸案内部の近傍に設けられ且つベール反転時にベールで拾われた釣糸を前記釣糸案内部へ導くように構成された釣糸導入部と、この釣糸導入部に形成され且つベールの端部を取付可能なベール取付部とを備えた魚釣用スピニングリールにおいて、前記ベール取付部に中空部を形成して該中空部に中空の補強部材を嵌入し、前記ベールの端部に形成した中空部内に、前記ベール取付部を嵌入して互いに接合したことを特徴とする。
【発明の効果】
【００１２】
本発明によれば、ベール部分における糸絡みや糸傷、及びベールの亀裂などの発生を防止すると共に、ベールと共に回転するロータの回転バランスに優れた構成の魚釣用スピニングリールが得られる。
【発明を実施するための最良の形態】
【００１３】
以下、本発明の一実施の形態に係る魚釣用スピニングリールについて、図１及び図２を参照して説明する。
【００１４】
図１に示すように、魚釣用スピニングリールは、リール本体２と、このリール本体２を釣竿４のリール取付部６に取り付けるためのリール脚部８とを備えている。リール本体２内には、ハンドル１０の回転操作によって回転駆動される駆動歯車が設けられており、この駆動歯車には、中空のピニオンが歯合している。
【００１５】
ピニオン内には、スプール軸が軸方向に挿通されており、このスプール軸の先端には、釣糸が巻回されるスプール１２が取り付けられている。また、ピニオンには、このピニオンと一体的に回転するロータ１４が取り付けられており、このロータ１４には、一対のベール取付アーム（腕部）１６が設けられている。これら一対のベール取付アーム１６には、夫々、ベール支持部材１８を介してベール２０が釣糸繰出位置と釣糸巻取位置に回動反転可能に支持されている。なお、一方側のベール支持部材１８とベール２０の端部との間には、釣糸案内部（以下、ラインローラという）２２が支持されている。
【００１６】
また、上記の駆動歯車には、オシレーティング機構が係合しており、ハンドル１０を回転操作して駆動歯車を回転させることによって、上述したスプール軸（スプール１２）を前後動させることができるように構成されている。
【００１７】
このような構成を有する魚釣用スピニングリールにおいて、ベール２０を釣糸繰出位置に回動させた状態でキャスティングした後、ハンドル１０を回転操作すると、ベール２０が釣糸巻取位置に反転すると共に、ハンドル１０の回転運動は、駆動歯車を介してピニオンに伝達され、このピニオンを回転させる。同時に、ハンドル１０の回転運動は、オシレーティング機構を介してスプール軸に伝達され、このスプール軸を前後動させる。このとき、ロータ１４が回転しつつスプール１２が前後動することによって、釣糸は、ラインローラ２２を介してスプール１２に平行且つ均等に巻回される。
【００１８】
このような魚釣用スピニングリールには、糸絡みや糸傷及びベール２０の亀裂などの発生を防止すると共に、ベール２０と共に回転するロータの回転バランスを向上させるために、以下のような構成が施されている。
【００１９】
図２（ａ）に示すように、本実施の形態では、ベール２０は、一対のベール支持部材１８（片方のみ図示）を介して、一対の腕部１６（片方のみ図示）に回動反転可能に取り付けられている。図示された一方側のベール支持部材１８には、回転可能に支持されたラインローラ２２と、このラインローラ２２の近傍に配される釣糸導入部２４が設けられており、釣糸導入部２４の先端側には、ベール２０の端部を取付可能なベール取付部２６が突出形成されている。
【００２０】
前記釣糸導入部２４は、ラインローラ２２側からベール取付部２６に向かうにしたがって徐々に（連続して滑らかに）縮径した表面形状（曲面形状）を成している。そして、ベール２０の端部とベール取付部２６とは、後述するように、ベール２０の端部に形成した中空部２０ａ内にベール取付部２６を嵌入することで互いに略同一軸芯上に接合されている。すなわち、釣糸導入部２４は、ラインローラ２２側からベール取付部２６に向かって円滑に縮径し、そのベール取付部２６は、ベール２０の端部が延出する方向に沿って突出形成されている。
【００２１】
このような構成によれば、ベール２０を釣糸導入部２４のベール取付部２６に取り付ける際、ベール２０を屈曲させること無く（つまり、ベール２０を複雑な形状に加工すること無く）、ベール２０の端部とベール取付部２６とを互いに接合させることが可能となる。なお、上記した曲面形状とは、円錐形状や凹状の湾曲形状などを含めた上位概念を意味する。
【００２２】
具体的には、図２（ｂ）に示すように、一方側のベール２０の端部とベール取付部２６には、夫々、少なくともその接合部Ｗ（接合部Ｗを含めた近傍も含める）において、所定寸法の中空部２０ａ，２６ａが形成されている。そして、これら中空部２０ａ，２６ａ内に中空の補強部材２８を嵌入することによって、ベール２０の端部とベール取付部２６とを互いに接合させるようにしている。
【００２３】
この場合、前記釣糸導入部２４には、中空の補強部材２８を嵌入する部分（例えばベール取付部２６の部分及びその近傍）のみに中空部２６ａが形成されており、それ以外の部分については中実に形成されている。また、ベール２０の少なくとも端部の径寸法（具体的には、中空部２０ａの内径寸法）は、ベール取付部２６の外径寸法よりも大きく設定されており、接合部Ｗにおいて、ベール２０の端部がベール取付部２６に外嵌されるように構成されている。すなわち、中空の補強部材２８が嵌入されたベール取付部２６は、接合部Ｗにおいて、ベール２０の端部の中空部２０ａ内に嵌入されるように構成されている。
【００２４】
上述したような構成によれば、ベール２０の端部及びベール取付部２６の少なくとも接合部Ｗ（接合部Ｗの近傍を含める）を中空形状に構成すると共に、この接合部Ｗに介在させる補強部材２８も中空に構成したことによって、ベール２０、及びベール取付部２６が突出形成された釣糸導入部２４を軽量化することができる。この結果、ベール２０と共に回転するロータの回転時のバランスを向上させることができ、釣糸巻取操作を常時安定した状態に維持することが可能となる。
【００２５】
また、接合部Ｗ及び補強部材２８を中空形状としたことによって、ベール２０に外力が作用して接合部Ｗ及び補強部材２８に曲げ荷重が加えられた場合でも、中空の接合部Ｗ、並びに補強部材２８は、その曲げ荷重の程度に応じて柔軟に弾性変形して応力を分散させることができる。この結果、中実の補強部材を使用した場合に生じた従来の問題（例えば、中実の補強部材の両端近傍のベールに亀裂が入って糸切れ等が生じる問題）を解消させることが可能となる。
【００２６】
従って、例えばベール２０に対して屈曲加工処理を施すような場合でも、中空部分が柔軟に曲げ加工を許容して接合部Ｗへの局部的な応力集中の発生を防止することができるため、補強部材端部近傍の部分からの折れを防ぎ、接合部を効果的に補強しながら加工性を向上させることができる。
【００２７】
また、上記した構成では、接合部Ｗは、最も内側に中空の補強部材２８が存在し、その外側にベール取付部２６及びベール２０の端部が階層される構造となり、その強度を向上させることができる。このため、例えば溶着処理を施すことによって、接合部Ｗ及びその近傍を繋ぎ目の無い綺麗な外観に加工することができると共に、ベール２０からベール取付部２６を介して釣糸導入部２４までを一体化させたモノコック構造とすることができ、糸絡みし難く且つ耐久性に優れたベール２０を実現することが可能となる。
【００２８】
更に、釣糸導入部２４のベール取付部２６をベール２０の端部の延出方向に沿って突出形成したことによって、ベール２０からベール取付部２６を介して釣糸導入部２４までを滑らかに連続した一体構造とすることが可能となる。この結果、段差の無い接合部Ｗを実現することができ、糸絡みや糸傷などの発生を防止することが可能となる。
【００２９】
また、ベール２０は、全体に亘って中空形状を成すように構成しており、これにより、例えば高い強度を有する材料で太径のベール２０を構成した場合でも、ベール２０の高強度化と軽量化を同時に図ることができる。従って、例えばベール２０に対して屈曲加工処理を施すような場合でも、中空の補強部材２８が嵌入された接合部Ｗへの局部的な応力集中の発生を防止することができるようになり、加工性を向上させることができる。もちろん、ベール２０については、端部のみを中空形状としても良い。
【図面の簡単な説明】
【００３０】
【図１】本発明の一実施の形態に係る魚釣用スピニングリールの全体構成を示す図。
【図２】（ａ）は、ベールとベール取付部との接合部の構成を示す部分断面図、（ｂ）は、同図（ａ）の接合部の構成を拡大して示す断面図。
【符号の説明】
【００３１】
２  リール本体
１４  ロータ
１６  ベール取付アーム（腕部）
１８  ベール支持部材
２０  ベール
２２  ラインローラ
２４  釣糸導入部
２６  ベール取付部
２８  補強部材
Ｗ  接合部
【図１】
2007111060.tif 000003
【図２】
2007111060.tif 000004